(57)【要約】  本発明は、移動通信セルラーシステムにおける移動性の管理を改良する方法であって、セルは異なる無線アクセス技術をサポートするセルを備える位置構造にまとめられ、所与のセル内の携帯端末ＭＴによる、ネットワークエンティティＣＮへの、前記セルを含む位置構造に登録するための要求の送信１と、前記要求の受信時の、前記ネットワークエンティティＣＮによる、携帯端末ＭＴへの、少なくとも前記位置構造における、少なくとも１つの、前記携帯端末に対して許可された無線アクセス技術、および／または少なくとも１つの禁止された無線アクセス技術に関する無線アクセス技術の少なくとも１つの表示を含む返答の送信２とにあるステップを備える方法を提供することを目的とする。
2008524895.tif 000002
【特許請求の範囲】
【請求項１】
異なる無線アクセス技術をサポートするセルを備える位置構造にセルがまとめられているセルラー移動通信システムにおける移動性の管理を改良する方法であって、
所与のセル内の携帯端末（ＭＴ）が、前記セルを含む位置構造に登録するための要求をネットワークエンティティ（ＣＮ）に送信するステップ（１）と、
前記要求の受信時に、前記ネットワークエンティティ（ＣＮ）が携帯端末（ＭＴ）に、少なくとも前記位置構造において、前記携帯端末に対して許可された少なくとも１つの無線アクセス技術（ＲＡＴ）、および／または許可されていない少なくとも１つの無線アクセス技術に関する少なくとも１つの無線アクセス技術の表示を含む返答を送信するステップ（２）と
を含む、方法。
【請求項２】
前記無線アクセス技術の表示が明確に示され、前記応答が少なくとも１つの特定のパラメータを含む、請求項１に記載の方法。
【請求項３】
前記無線アクセス技術の表示が明確に示されず、前記返答が特定のパラメータを含まない場合に、様々な無線アクセス技術が前記端末に対して許可されていると仮定される、請求項１または２のいずれかに記載の方法。
【請求項４】
前記返答が、前記許可されたもの、および／または許可されていないものに適用可能な地理的領域に関する地理的領域表示をさらに含む、請求項１から３のいずれかに記載の方法。
【請求項５】
前記地理的領域表示が、前記許可されたもの、および／または前記許可されていないものが前記位置構造のみに、またはネットワーク全体に適用されるかどうかを示す、請求項４に記載の方法。
【請求項６】
前記要求が位置更新要求に対応し、前記返答が承認された位置更新要求、または拒絶された位置更新要求に対応する、請求項１から５のいずれかに記載の方法。
【請求項７】
前記返答の受信時に、前記携帯端末が、前記セルにサポートされた無線アクセス技術が前記返答により示された許可されていない無線アクセス技術に対応するかどうかを判定し、
無線アクセス技術が許可されていない場合に、携帯端末が、許可された無線アクセス技術をサポートする別のセルを選択する
ステップ（３）を含む、請求項１から６のいずれかに記載の方法。
【請求項８】
前記返答の受信時に、携帯端末が、前記返答により示された少なくとも１つの許可されていない無線アクセス技術に対応する情報を保存させ、
セルを選択する前に、携帯端末が、セルによりサポートされた無線アクセス技術が許可されていない無線アクセス技術に対応しないことをこのように保存された情報によって確認する
ステップ（３）を含む、請求項１から７のいずれかに記載の方法。
【請求項９】
携帯端末が前記保存を前記携帯端末に関連付けられた加入者識別モジュール内で行わせる、請求項８に記載の方法。
【請求項１０】
ＰＬＭＮを変更する場合には、前記保存された情報が削除される、請求項８または９のいずれかに記載の方法。
【請求項１１】
前記加入者識別モジュールが引き抜かれる場合、またはユーザの制御下では、前記保存された情報が削除される、請求項７または８のいずれかに記載の方法。
【請求項１２】
所与のセル内のネットワークエンティティ（ＣＮ）に、前記セルを含む位置構造に登録するための要求を送信する手段（１０）と、
前記ネットワークエンティティ（ＣＮ）から、前記要求に応答して、少なくとも前記位置構造において、前記携帯端末に対して許可された少なくとも１つの無線アクセス技術、および／または許可されていない少なくとも１つの無線アクセス技術に関する少なくとも１つの無線アクセス技術の表示を含む返答を受信する手段（１１）と
を備える携帯端末（ＭＴ）。
【請求項１３】
前記返答の受信時に、前記セルにサポートされた無線アクセス技術が、前記返答により示された許可されていない無線アクセス技術に対応するかどうかを判定するように作動する手段（１２）と、
無線アクセス技術が許可されていない場合に、許可された無線アクセス技術をサポートする別のセルを選択するよう作動する手段（１３）と
を含む、請求項１２に記載の携帯端末。
【請求項１４】
前記返答の受信時に、前記返答により示された許可されていない少なくとも１つの無線アクセス技術に対応する情報を保存させるように作動する手段（１４）と、
セルを選択する前に、前記セルによってサポートされた無線アクセス技術が許可されていない無線アクセス技術に対応しないことをこのように保存された情報によって確認するように作動する手段（１６）と
を含む、請求項１２または１３のいずれかに記載の携帯端末。
【請求項１５】
加入者識別モジュール（ＳＩＭ／ＵＳＩＭ）であって、
携帯端末によって送信された登録要求に応答してネットワークエンティティから受信された、前記モジュールに関連付けられた前記端末に対して許可されていない少なくとも１つの無線アクセス技術に対応する情報を保存する手段（１５）
を含む、モジュール。
【請求項１６】
所与のセル内の携帯端末（ＭＴ）から、前記セルを含む位置構造に登録するための要求を受信する手段（２０）と、
前記要求に応答して、少なくとも前記位置構造において、前記携帯端末（ＭＴ）に対して許可された少なくとも１つの無線アクセス技術、および／または許可されていない少なくとも１つの無線アクセス技術に関する少なくとも１つの無線アクセス技術の表示を含む返答を前記携帯端末に送信する手段（２１）と
を含む移動通信ネットワークエンティティ（ＣＮ）。
【発明の詳細な説明】
【技術分野】
【０００１】
本発明は、一般にセルラー移動通信システムに関する。
【背景技術】
【０００２】
一般に、セルラー移動通信システムは規格統一の主題となっており、さらなる情報については、対応する規格機構により公表されている対応する規格を参照することができる。
【０００３】
そのようなシステムの一般的な構造は、図１を参照して簡単に想起される。そのようなシステムは、携帯端末（ＭＴ）および外部ネットワーク（具体的には図示せず）と通信する、公衆陸上移動ネットワーク（ＰＬＭＮ）として知られている移動通信ネットワークを備える。
【０００４】
ネットワーク自体は、ネットワークと携帯端末の間で無線インターフェースを介して無線資源を主に送信、および管理する役割をする無線アクセスネットワーク（ＲＡＮ）、ならびに携帯端末との通話を主に管理、および伝達する役割をするコアネットワーク（ＣＡＮ）を含む。
【０００５】
一般に、これらのシステムはセルラー構造をしており、ユーザの移動性を管理するために、セルは、回線モードサービス用の位置領域（ＬＡ）として知られている、またはパケットモードサービス用の、位置領域に含まれる経路指定領域（ＲＡ）として知られている位置構造にまとめられる。
【０００６】
一例として、以下の記述は、位置領域（以下では、より簡単にＬＡという）に対応する位置構造、および「アイドル」モードとして知られているモードのときに端末がセルを選択する機構に関する。
【０００７】
端末は、ネットワークにアクセスするために選択されたセルにおける変更によるＬＡのいかなる変更も、一般に位置更新手順によって、ネットワークに通知する。これによって、ネットワークは第一に、端末への着信時に、対応するＬＡ内でその端末を検索する（これは検索、または「呼出し」手順によってなされる）ことができ、第二に、対応するＬＡにユーザを登録する前に、選択されたセルにユーザがアクセスする権利を管理することができる。
【０００８】
そのような位置更新手順において、携帯端末は位置更新要求（ＬＵＲ）として知られているメッセージをネットワークに送信する。
【０００９】
具体的には加入者プロファイルに基づいてユーザの権利を確認した後に、ネットワークは２つの可能な方法で応答することができる。
肯定応答の場合、ネットワークによって携帯端末に戻されたメッセージは位置更新承認（ＬＵＡ）メッセージである。その後、ユーザは新しいＬＡに登録される。
否定応答の場合、ネットワークによって携帯端末に戻されたメッセージは位置更新拒絶（ＬＵＲ）メッセージである。
【００１０】
さらに、技術の変化により、異なる無線アクセス技術（ＲＡＴ）を区別することが必要になる。
【００１１】
ＲＡＴの一例は、特にいわゆる「第２」世代システムにおける、周波数分割多元接続／時分割多元接続（ＦＤＭＡ／ＴＤＭＡ）のアクセス技術を利用するグローバル移動通信システム（ＧＳＭ）である。
【００１２】
ＲＡＴの別の例は、具体的には汎用移動通信システム（ＵＭＴＳ）などの、特にいわゆる「第３」世代システムで使用される広帯域符号分割多元接続（Ｗ−ＣＤＭＡ）、およびまた時分割符号分割接続（ＴＤ−ＣＤＭＡ）である。
【００１３】
当然、ＲＡＴの他の例も可能で、例えばＣＤＭＡ２０００、免許不要移動アクセス（ＵＭＡ）、ＷＬＡＮ−３ＧＰＰなどである。例えばＧＳＭ９００またはＧＳＭ１８００などの周波数帯域を識別要素とすることもできる。
【００１４】
加えて、任意の１つのシステム（または操作者）は異なるＲＡＴを使用することができる（そのようなシステムは、「複数ＲＡＴ」システムということができる）。これは例えば既存の第２世代インフラストラクチャに次第に導入されている第３世代インフラストラクチャに対応し、既存の第２世代インフラストラクチャにより供給される既存のサービスエリアの恩恵を受け、特に、具体的には電話型サービスなどの、両世代に共通してサポートされているサービスにサービスの継続性が提供されることが可能となる。
【００１５】
「複数ＲＡＴ」型のそのようなシステムにおいて、様々な加入プロファイルが操作者によって提示されることがある。具体的には、加入プロファイルは、１つ以上の特定のＲＡＴのみにアクセスが許可され、他のＲＡＴへのアクセスは許可されないようなものであってよい。
【００１６】
解決すべき問題は、異なるＲＡＴ（例えば、ＧＳＭおよびＵＭＴＳ）をサポートすることができる携帯端末がある特定のＲＡＴのみにアクセスする（例えば、ＧＳＭにはアクセスできるが、ＵＭＴＳにはできない）ことを許可するという問題である。
【００１７】
１つの解決策は、１つのＬＡ内のセルが単一のＲＡＴに関連付けられるようにＬＡを構成し（このようなＬＡは「単一ＲＡＴ」ＬＡということができる）、そのＲＡＴと関連付けられているＬＡ内の端末のみからの登録要求を承認することである。
【００１８】
そのような単一ＲＡＴ  ＬＡ型の解決策には、携帯端末が１つのＲＡＴに関連付けられたＬＡから別のＲＡＴに関連付けられたＬＡまで移動する（これは、単一ＲＡＴシステムにおけるＬＡの変更より特に比較的頻繁に、かなりの頻度で起こる可能性がある）というだけの理由で、位置更新手順がさらに必要になるので、特に、無駄に位置更新通信量が増加するという障害がある。
【００１９】
そのような欠点を避ける１つの解決策は、ＬＡの様々なセルが異なるＲＡＴと関連付けられることができるようにＬＡを構成することである。
【００２０】
しかし、そのような複数ＲＡＴ  ＬＡ型の解決策では、規格の現状は、異なるＲＡＴをサポートすることができる携帯端末がそれらのＲＡＴのうちのいくつかにのみアクセスすることを許可することはできない。複数ＲＡＴ  ＬＡのすべてのセルは、ＲＡＴにかかわらず、許可される。すなわち、規格の現状では、アクセス権制限（具体的には、加入プロファイルに関する）は、ＬＡのレベルより低いレベルでは考慮できず、このことは、ある規準に基づいて、具体的にはＲＡＴに基づいてアクセス権制限に対する問題を提起する。
【発明の開示】
【発明が解決しようとする課題】
【００２１】
本発明の特定の目的は、これらの問題をすべて、または部分的に解決すること、および／あるいはこれらの欠点をすべて、または部分的に避けることである。具体的には、本発明の目的の１つは、複数ＲＡＴ  ＬＡの解決策の利点を、その欠点を起こすことなく保持することである。より一般的には、本発明の目的の１つは、異なるＲＡＴを使用することができるシステムにおける移動性の管理を改良することである。
【課題を解決するための手段】
【００２２】
一態様において本発明は、異なる無線アクセス技術をサポートするセルを備える位置構造にセルがまとめられているセルラー移動通信システムにおける移動性の管理を改良する方法であって、
所与のセル内の携帯端末が、前記セルを含む位置構造に登録するための要求をネットワークエンティティに送信するステップと、
前記要求の受信時に、前記ネットワークエンティティが携帯端末に、少なくとも前記位置構造において、前記携帯端末に対して許可された少なくとも１つの無線アクセス技術、および／または許可されていない少なくとも１つの無線アクセス技術に関する少なくとも１つの無線アクセス技術の表示を含む返答を送信するステップと
を含む方法を提供する。
【００２３】
別の態様において、本発明はそのような方法を実施する手段を含む携帯端末を提供する。
【００２４】
別の態様において、本発明は、「ＧＭＳ加入者識別モジュール／汎用加入者識別モジュール」の略のＳＩＭ／ＵＳＩＭとしても知られている、携帯端末と関連付けられ、そのような方法を実施する手段を含む加入者識別モジュールを提供する。
【００２５】
別の態様において、本発明はそのような方法を実施する手段を含む移動通信ネットワークエンティティを提供する。
【００２６】
本発明の他の目的および特徴は、添付の図面を参照して与えられる、以下の実施形態の説明を読むと明らかになる。
【発明を実施するための最良の形態】
【００２７】
図２は、本発明による方法の例を示す。
【００２８】
１で参照されるステップでは、携帯端末ＭＴが、一般にコアネットワークサーバエンティティに対応するネットワークエンティティに登録要求を送信する。
【００２９】
具体的には、回線モードサービスでは、そのようなコアネットワークサーバエンティティは、移動交換局／ビジター位置レジスタ（ＭＳＣ／ＶＬＲ）型のエンティティに対応する。パケットモードサービスでは、そのようなコアネットワークサーバエンティティは、サービングＧＰＲＳサポートノード（ＳＧＳＮ）型エンティティに対応する。
【００３０】
前記登録要求は、通常の方法で端末によって生成されることができる（したがって、本明細書中でさらに詳細に再度説明されない）。例では、前記登録要求は、選択したセルを変更している携帯端末に、それがＬＡの変更と同時に起こるときに一般に送信される位置更新要求に対応することができる。
【００３１】
２で参照されるステップでは、ＣＮエンティティが携帯端末ＭＴに返答を送信することによって前記要求に応答する。
【００３２】
通常の方法でそのような返答に含まれる（したがって本明細書中でさらに詳細に再度説明されない）情報に加えて、返答は、少なくとも前記位置構造において、前記携帯端末に対して許可された少なくとも１つのＲＡＴ、および／または許可されていない少なくとも１つのＲＡＴに関する少なくとも１つの無線アクセス技術の表示を含む。
【００３３】
携帯端末に対して許可された、および／または許可されていない１つまたは複数のＲＡＴに関する情報は、再構成、拡張などの任意の変更に従ってネットワーク内で更新されることができる。加えて、当該ＣＮエンティティがそれ自体、そのような情報を有していない場合、具体的にはホーム位置レジスタ（ＨＬＲ）型のデータベース、またはビジター位置レジスタ（ＶＬＲ）型のデータベースなどの別のネットワークエンティティから情報を得ることができる。
【００３４】
例では、前記ＲＡＴの表示が明確に示され、前記返答が少なくとも１つの特定のパラメータを含む。
【００３５】
別の例では、前記返答が特定のパラメータを含まない場合に、様々なＲＡＴが前記端末に対して許可されていると仮定され、前記ＲＡＴの表示が明確に示されない。
【００３６】
例では、前記応答が、前記許可されたもの、および／または許可されていないものに適用可能な地理的領域に関する地理的領域表示をさらに含む。
【００３７】
例えば、前記地理的領域表示は、前記許可されたもの、および／または許可されていないものが前記位置構造（位置領域ＬＡ）のみに、または公衆陸上携帯端末（ＰＬＭＮ）に適用可能かどうかを指定する。
【００３８】
例では、前記返答が位置更新要求を承認するメッセージに対応してもよい。
【００３９】
別の例では、前記返答が位置更新要求を拒絶するメッセージに対応してもよい。
【００４０】
上に挙げられた例以外の例も当然可能であり、すべての可能な例の完全な表を本明細書で示すことは不可能であることが理解されよう。
【００４１】
前記返答の受信時に、かつ通常の方法で実行される（したがって本明細書中でさらに詳細に再度説明されない）処理に加えて、３で参照されるステップでは、携帯端末は少なくとも１つの許可されたＲＡＴ、および／または少なくとも１つの許可されていないＲＡＴに関する情報を前記返答から抜き出し、その結果、この情報は端末によって様々な方法で利用されることができる。
【００４２】
例では、
端末は、選択されたセルに関連付けられたＲＡＴ（一般に他のシステム情報と共に当該セル内に送信される）が許可されていないＲＡＴに対応するかどうかを、前記返答からこのように抜き出された情報に応じて判定し、
ＲＡＴが許可されていない場合、携帯端末ＭＴは、許可されたＲＡＴに関連付けられた別のセルを選択し、必要に応じ（特にＬＡを新たに変更する場合に）、ステップ４で点線で示されているように、ＣＮエンティティに新しい登録要求を送信する。
【００４３】
例では、
端末は、前記返答により示された少なくとも１つの許可されていないＲＡＴに対応する情報を、特に前記携帯端末に関連付けられた加入者識別モジュール（ＧＳＭ加入者識別モジュール／汎用加入者識別モジュール（ＳＩＭ／ＵＳＩＭ）としても知られている）内に設けられることができる記憶手段に保存させ、
セルを選択する前に、携帯端末は、セルが許可されていないＲＡＴと関連付けられていないことをこのように保存された情報によって確認する。
【００４４】
前記保存された情報は、特にＬＡを新たに変更するときに起こりうるように、少なくとも１つの許可されていないＲＡＴに関する新しい情報がネットワークから受信された場合に、更新されることができる。
【００４５】
前記保存された情報は、例えば、公衆陸上移動ネットワーク（ＰＬＭＮ）を変更するとき、またはＳＩＭ／ＵＳＩＭカードを取り外すとき、またはユーザの制御下にあるときなどに削除されることができる。
【００４６】
図３は、本発明による方法を実施するために、携帯端末、およびその端末と関連付けられた加入者識別モジュールにおいて使用されることができる手段の例を示す。
【００４７】
図示された例では、ＭＴで参照される携帯端末は（本明細書中では説明されていない、他の従来の手段に加えて）、
所与のセル内のネットワークエンティティに、前記セルを含む位置構造に登録するための要求を送信する、１０で参照される手段と、
前記ネットワークエンティティから、前記要求に応答して返答を受信する、１１で参照される手段とを備え、返答は少なくとも前記位置構造において、前記携帯端末に対して許可された少なくとも１つのＲＡＴおよび／または許可されていない少なくとも１つのＲＡＴに関する少なくとも１つＲＡＴの表示を含む。
【００４８】
例では、携帯端末ＭＴは、
前記セルに関連付けられたＲＡＴ（一般にシステム情報と共に当該セル内に送信される）が前記返答によって指定された許可されていないＲＡＴに対応するかどうかを判定するために、前記応答を受信する、１２で参照される手段と、
ＲＡＴが許可されていない場合に、許可されたＲＡＴに関連付けられた別のセルを選択するように作動する、１３で参照される手段（したがって手段１３は、端末に従来の方式で設けられている、１３’で参照されるセル選択手段と共に動作することができる）と
をさらに備える。
【００４９】
例では、携帯端末ＭＴは、
前記返答の受信時に、前記返答で指定された少なくとも１つの許可されていないＲＡＴに対応する情報が、具体的には、ＳＩＭ／ＵＳＩＭで参照される関連した加入者識別モジュール内に場合によって設けられている、１５で参照される記憶手段内に保存されるように作動する、１４で参照される手段と、
セルを選択する前に、前記セルが許可されていないＲＡＴと関連付けられていないことをこのように保存された情報によって確認するように作動する、１６で参照される手段（したがって、手段１６は、端末に従来の方式で設けられている、１３’で参照されるセル選択手段と共に動作することができる）と
をさらに備える。
【００５０】
したがって、携帯端末ＭＴと関連付けられた、ＳＩＭ／ＵＳＩＭで参照される加入者識別は（本明細書中では想起されていない、他の従来の手段に加えて）、
前記モジュールと関連付けられた携帯端末に対して許可されていない少なくとも１つのＲＡＴに対応する情報を保存する、１５で参照される手段を備えることができ、その情報は、前記端末から送信された登録要求に応答してネットワークエンティティから受信される。
【００５１】
図４は、本発明による方法を実施するために、具体的にはコアネットワークサーバエンティティなどのネットワークエンティティにおいて使用されることができる手段の例を示す。
【００５２】
図示された例では、ＣＮで参照されたそのようなネットワークエンティティは（本明細書中では想起されていない、他の従来の手段に加えて）、
所与のセル内の携帯端末から、前記セルを含む位置構造に登録するための要求を受信する、２０で参照される手段と、
前記要求に応答して携帯端末に返答を送信する、２１で参照される手段とを備え、返答は少なくとも前記位置構造において、前記携帯端末に対して許可された少なくとも１つのＲＡＴ、および／または許可されていない少なくとも１つのＲＡＴに関する少なくとも１つＲＡＴの表示を含む。
【００５３】
図３および図４に示された様々な手段は、図２を参照して上で説明された方法を適用して動作することができる。その具体的な実施は当業者にとっては特に問題とならないので、そのような手段は、その機能別の説明より詳細に本明細書では説明する必要はない。
【図面の簡単な説明】
【００５４】
【図１】移動通信システムの一般的構造を想起する図である。
【図２】本発明の方法の例を説明する図である。
【図３】本発明による方法を実施するために、携帯端末、およびその端末に関連付けられた加入者識別モジュールにおいて使用されることができる手段の例を説明する図である。
【図４】本発明による方法を実施するために、ネットワークエンティティにおいて使用されることができる手段の例を示す図である。
【図１】
2008524895.tif 000003
【図２】
2008524895.tif 000004
【図３】
2008524895.tif 000005
【図４】
2008524895.tif 000006
【国際調査報告】
2008524895.tif 000007
2008524895.tif 000008
2008524895.tif 000009
2008524895.tif 000010
2008524895.tif 000011
2008524895.tif 000012